(57)【特許請求の範囲】
【請求項１】
入力映像信号を含む情報信号に対して第１の処理を施し、処理後の情報信号を出力するとともに、上記情報信号のうち、映像信号のフィールド期間の入力に同期する第１の同期信号、および処理後の上記情報信号の上記フィールド期間毎の出力に同期する第２の同期信号を出力する第１の処理部と、
上記第１の処理部の後段側に配され、上記第１の処理部の処理により出力された上記情報信号の上記フィールド期間毎の入力に同期する第３の同期信号、および上記情報信号の上記フィールド期間毎の出力に同期する第４の同期信号を出力するとともに、上記第１の処理部の処理により出力された上記情報信号に対して第２の処理を施す第２の処理部と、
上記第１の処理部の処理により上記第１の同期信号が出力されたと判定された場合、上記情報信号の上記フィールド期間の信号種別情報を映像信号と判定し、上記第１の同期信号が出力されていないと判定された場合、上記情報信号の上記フィールド期間の上記信号種別情報を非映像信号と判定する情報信号判定部と、
上記フィールド期間毎の上記信号種別情報を順次保持する第１の保持部と、
上記第１の処理部の処理により上記第２の同期信号が出力されたとき、上記第１の保持部に保持されている最も古い上記信号種別情報を上記第１の保持部から削除するとともに、上記信号種別情報を出力する信号種別情報出力部と、
上記第２の処理部の処理により上記第３の同期信号が出力されたとき、上記信号種別情報出力部の処理により出力された上記信号種別情報を取得する信号種別情報取得部と、
上記信号種別情報取得部の処理により取得された上記信号種別情報を、順次保持する第２の保持部と、
上記第２の処理部の処理により上記第４の同期信号が出力されたとき、上記第２の保持部に保持されている最も古い上記信号種別情報を上記第２の保持部から削除するとともに、上記信号種別情報に基づいて、上記第２の処理部を制御する制御信号を伝送する制御処理部と
を備え、
上記第２の処理部は、上記第２の処理として、上記制御処理部の処理により伝送された上記制御信号に基づいて、上記信号種別情報が映像信号であるときは上記情報信号を出力し、上記信号種別情報が非映像信号であるときはブランキング信号を出力する
ことを特徴とする情報信号処理装置。
【請求項２】
入力された情報信号に対して第１の処理を施し、所定期間毎に識別子が付加された処理後の情報信号を出力する第１の処理部と、
入力された上記情報信号から第１の同期信号を抽出する第１の入力同期信号抽出部と、
上記第１の入力同期信号抽出部の処理により抽出された上記第１の同期信号に基づいて、入力された上記情報信号が映像信号であるか非映像信号であるかを判定し、上記情報信号が映像信号であるか非映像信号であるかを示す信号種別情報を出力する情報信号判定部と、
上記第１の処理部から出力される情報信号の所定期間毎に、上記識別子および上記信号種別情報を含む付加情報を発生する付加情報発生部と、
第２の同期信号を生成する第１の出力同期信号生成部と、
上記第１の出力同期信号生成部の処理により生成された上記第２の同期信号に基づいて、上記付加情報発生部で発生された付加情報を伝送する伝送路と、
上記第１の処理部の後段側に配され、上記第１の処理部の処理により出力された上記情報信号に対して第２の処理を施す第２の処理部と、
上記第１の処理部の処理により出力された上記情報信号から第３の同期信号を抽出する第２の入力同期信号抽出部と、
上記第２の入力同期信号抽出部の処理により抽出された上記第３の同期信号に基づいて、上記伝送路から上記付加情報を取得する付加情報取得部と、
上記第２の処理部の入力情報信号に上記所定期間毎に付加されている上記識別子を分離する分離部と、
第４の同期信号を生成する第２の出力同期信号生成部と、
上記第２の出力同期信号生成部の処理により生成された上記第４の同期信号に基づいて、上記付加情報取得部の処理により取得された上記付加情報の上記識別子と、上記分離部の処理により分離された上記識別子とを比較する識別子比較部と
を備え、
上記第２の処理部は、上記第２の処理として、上記識別子比較部の処理により一致すると判定された上記識別子に対応する上記付加情報の上記信号種別情報が映像信号を示すときは上記入力された情報信号を出力し、上記識別子に対応する上記信号種別情報が非映像信号を示すときはブランキング信号を出力する
ことを特徴とする情報信号処理装置。
【請求項３】
上記第１の処理部は、
入力された上記情報信号に上記識別子が付加されていないとき、上記所定期間毎に順次異なる識別子を発生する識別子発生部と、
入力された上記情報信号に上記識別子が付加されていないとき、処理後の信号の上記所定期間毎に、上記識別子発生部で発生される上記識別子を付加して上記識別子が付加された処理後の信号を得る合成部とを有する
ことを特徴とする請求項２に記載の情報信号処理装置。
【発明の詳細な説明】
【技術分野】
【０００１】
この発明は、映像信号である情報信号に複数の処理を順に行う際に適用して好適な情報信号の処理装置に関する。
【０００２】
詳しくは、この発明は、情報信号に対して、第１の処理部で第１の処理を施すと共に、この第１の処理部の後段側に配された第２の処理部で第２の処理を施すものにあって、第１の処理部から出力される情報信号の所定期間毎に対応したメタ情報を第１の処理部側から第２の処理部側に伝送し、第２の処理部の処理内容を、この伝送されたメタ情報に基づいて制御することによって、第２の処理部で良好な処理が行われるようにした情報信号処理装置等に係るものである。
【背景技術】
【０００３】
従来から利用されている映像信号に対するメタ情報は、水平、垂直の同期信号、コピー防止信号、クローズドキャプション等であった。この中で、同期制御で利用されている同期信号は、映像表示のための同期信号であって、フィールド毎の情報は有しておらず、フィールド毎の制御で利用するには情報が不足している。
【０００４】
映像信号に対する処理に要する時間と音声信号に対する処理に要する時間とが異なる場合、映像信号による画像と音声信号による音声との間に時間的なずれ、いわゆるリップシンクのずれが発生する。
【０００５】
例えば、特許文献１には、このリップシンクを調整する技術が開示されている。この特許文献１に記載される技術は、コンテンツ受信装置において、エンコーダ側のサーバからコンテンツを受信してデコードする場合、当該コンテンツを構成する映像パケットおよび音声パケットに分離し、それぞれデコードした後に映像パケットに付されたビデオタイムスタンプと音声パケットに付されたオーディオタイムスタンプを基に、ビデオフレームとオーディオフレームを出力することにより、映像と音声との出力タイミングを一致させるものである。
【０００６】
【特許文献１】特開２００４−１５５５３号公報
【発明の開示】
【発明が解決しようとする課題】
【０００７】
特許文献１に記載される技術では、エンコーダ側で映像パケットおよび音声パケットに付されたタイプスタンプを利用するものであり、このようなタイプスタンプが付されていない場合には適用できない。
【０００８】
また、映像信号の処理に必要な時間が処理の種類によってまちまちである場合がある。従来、フィールドの情報を後段に伝える手段がなかったため、系全体で必要な処理時間を予め見積もっておき、その最大値をブランキング時間として設定すること等で、映像の乱れに対応せざるを得なかった。
【０００９】
この発明の目的は、第１の処理部で第１の処理を施すと共に、この第１の処理部の後段側に配された第２の処理部で第２の処理を施す際に、当該第２の処理部で良好な処理が行われるようにすることにある。
【課題を解決するための手段】
【００１０】
この発明の概念は、入力映像信号を含む情報信号に対して第１の処理を施し、処理後の情報信号を出力するとともに、上記情報信号のうち、映像信号のフィールド期間の入力に同期する第１の同期信号、および処理後の上記情報信号の上記フィールド期間毎の出力に同期する第２の同期信号を出力する第１の処理部と、上記第１の処理部の後段側に配され、上記第１の処理部の処理により出力された上記情報信号の上記フィールド期間毎の入力に同期する第３の同期信号、および上記情報信号の上記フィールド期間毎の出力に同期する第４の同期信号を出力するとともに、上記第１の処理部の処理により出力された上記情報信号に対して第２の処理を施す第２の処理部と、上記第１の処理部の処理により上記第１の同期信号が出力されたと判定された場合、上記情報信号の上記フィールド期間の信号種別情報を映像信号と判定し、上記第１の同期信号が出力されていないと判定された場合、上記情報信号の上記フィールド期間の上記信号種別情報を非映像信号と判定する情報信号判定部と、上記フィールド期間毎の上記信号種別情報を順次保持する第１の保持部と、上記第１の処理部の処理により上記第２の同期信号が出力されたとき、上記第１の保持部に保持されている最も古い上記信号種別情報を上記第１の保持部から削除するとともに、上記信号種別情報を出力する信号種別情報出力部と、上記第２の処理部の処理により上記第３の同期信号が出力されたとき、上記信号種別情報出力部の処理により出力された上記信号種別情報を取得する信号種別情報取得部と、上記信号種別情報取得部の処理により取得された上記信号種別情報を、順次保持する第２の保持部と、上記第２の処理部の処理により上記第４の同期信号が出力されたとき、上記第２の保持部に保持されている最も古い上記信号種別情報を上記第２の保持部から削除するとともに、上記信号種別情報に基づいて、上記第２の処理部を制御する制御信号を伝送する制御処理部とを備え、上記第２の処理部は、上記第２の処理として、上記制御処理部の処理により伝送された上記制御信号に基づいて、上記信号種別情報が映像信号であるときは上記情報信号を出力し、上記信号種別情報が非映像信号であるときはブランキング信号を出力することを特徴とする情報信号処理装置にある。
【００１１】
この発明においては、第１の処理部では、入力映像信号を含む情報信号に対して第１の処理が施され、処理後の情報信号が出力されるとともに、情報信号のうち、映像信号のフィールド期間の入力に同期する第１の同期信号、および処理後の情報信号のフィールド期間毎の出力に同期する第２の同期信号が出力される。また、第１の処理部の後段側に配される第２の処理部では、第１の処理部の処理により出力された情報信号のフィールド期間毎の入力に同期する第３の同期信号、および情報信号のフィールド期間毎の出力に同期する第４の同期信号が出力されるとともに、第１の処理部の処理により出力された情報信号に対して第２の処理が施される。情報信号判定部では、第１の処理部の処理により第１の同期信号が出力されたと判定された場合、情報信号のフィールド期間の信号種別情報が映像信号と判定され、第１の同期信号が出力されていないと判定された場合、情報信号のフィールド期間の信号種別情報が非映像信号と判定される。第１の保持部では、フィールド期間毎の信号種別情報が順次保持される。信号種別情報出力部では、第１の処理部の処理により第２の同期信号が出力されたとき、第１の保持部に保持されている最も古い信号種別情報が第１の保持部から削除されるとともに、信号種別情報が出力される。信号種別情報取得部では、第２の処理部の処理により第３の同期信号が出力されたとき、信号種別情報出力部の処理により出力された信号種別情報が取得される。第２の保持部では、信号種別情報取得部の処理により取得された信号種別情報が順次保持される。制御処理部では、第２の処理部の処理により第４の同期信号が出力されたとき、第２の保持部に保持されている最も古い信号種別情報が第２の保持部から削除されるとともに、信号種別情報に基づいて、第２の処理部を制御する制御信号が伝送される。そして、第２の処理部では、第２の処理として、制御処理部の処理により伝送された制御信号に基づいて、信号種別情報が映像信号であるときは情報信号が出力され、信号種別情報が非映像信号であるときはブランキング信号が出力される。
【００１２】
このように、第１の処理部から出力される情報信号のフィールド期間毎に対応した信号種別情報を第１の処理部側から第２の処理部側に伝送し、第２の処理部では、この伝送された信号種別情報に基づいて処理内容が制御されるようにすることで、第２の処理部で良好な処理が行われる。
【００１４】
例えば、第１の処理部から、所定期間毎に識別子が付加された処理後の情報信号が出力される。第１の入力同期信号抽出部では、入力された情報信号から第１の同期信号が抽出される。情報信号判定部では、入力同期信号抽出部の処理により抽出された第１の同期信号に基づいて、入力された情報信号が映像信号であるか非映像信号であるかが判定され、情報信号が映像信号であるか非映像信号であるかを示す信号種別情報が出力される。付加情報発生部では、情報信号の所定期間毎に識別子および信号種別情報を含む付加情報が発生される。第１の出力同期信号生成部では、第２の同期信号が生成される。伝送路では、第１の出力同期信号生成部の処理により生成された第２の同期信号に基づいて、この付加情報が伝送路を通じて第２の処理部側に伝送される。第２の入力同期信号抽出部では、第１の処理部の処理により出力された情報信号から第３の同期信号が抽出される。付加情報取得部では、第２の入力同期信号抽出部の処理により抽出された第３の同期信号に基づいて、伝送路から付加情報が取得される。分離部では、第２の処理部の入力情報信号に所定期間毎に付加されている識別子が分離される。第２の出力同期信号生成部では、第４の同期信号が生成される。識別子比較部では、第２の出力同期信号生成部の処理により生成された第４の同期信号に基づいて、付加情報取得部の処理により取得された付加情報の識別子と、分離部の処理により分離された識別子とが比較される。そして、第２の処理部では、第２の処理として、識別子比較部の処理により一致すると判定された識別子に対応する信号種別情報が映像信号を示すときは入力された情報信号が出力され、識別子に対応する信号種別情報が非映像信号を示すときはブランキング信号が出力される。第１の処理部に入力された情報信号に識別子が付加されていないとき、所定期間毎に順次異なる識別子が発生され、この発生された識別子が処理後の信号の所定期間毎に付加されることで、識別子が付加された処理後の信号が得られる。
【発明の効果】
【００２０】
この発明によれば、情報信号に対して、第１の処理部で第１の処理を施すと共に、この第１の処理部の後段側に配された第２の処理部で第２の処理を施すものにあって、第１の処理部から出力される情報信号の所定期間毎に対応した信号種別情報を第１の処理部側から第２の処理部側に伝送し、第２の処理部の処理内容を、この伝送された信号種別情報に基づいて制御するものであり、第２の処理部で良好な処理を行うことができる。
【発明を実施するための最良の形態】
【００２１】
この発明の第１の実施の形態について説明する。図１は、第１の実施の形態としての情報信号処理装置１００の構成を示している。
【００２２】
この情報信号処理装置１００は、ＤＲＣ(Digital Reality Creation)処理部１０１と、入力制御部１０２と、ノイズ低減処理部１０３と、出力処理部１０４と、出力制御部１０５と、ディスプレイ１０６と、バス１０７とを有している。
【００２３】
ＤＲＣ処理部１０１は、第１の処理部を構成し、入力映像信号ＳＶinに対してＤＲＣ処理（高画質化処理）を行う。例えば、入力映像信号ＳＶinであるＳＤ(Standard Definition)信号をＨＤ(High Definition Television)信号に変換し、このＨＤ信号を出力画像信号として出力する。
【００２４】
この場合、ＨＤ信号における注目位置の画素データを得る際に、例えば、ＳＤ信号からＨＤ信号における注目位置の周辺に位置する複数の画素データを抽出し、この複数の画素データに基づいてＨＤ信号における注目位置の画素データの属するクラスを検出し、このクラスに対応した推定式の係数データを用い、当該推定式に基づいてＨＤ信号における注目位置の画素データを求めることが行われる（特開２００１−２３８１８５号参照）。ユーザは、ＨＤ信号の解像度を自由に調整できる。このとき、推定式の係数データとして、ユーザによって操作される解像度軸のボリウム値に応じたものが使用される。
【００２５】
ノイズ低減処理部１０３は、ＤＲＣ処理部１０１の出力映像信号に対してノイズを低減する処理を行う。出力処理部１０４は、第２の処理部を構成し、ノイズ低減処理部１０３から出力される映像信号に対して出力処理を行う。ディスプレイ１０６は、例えば、ＬＣＤ(Liquid Crystal Display)等の表示素子で構成され、出力処理部１０４から出力される映像信号による画像を表示する。
【００２６】
入力制御部１０２は、ＤＲＣ処理部１０１から出力される映像信号の所定期間毎、例えばフィールド毎に、メタ情報としての付加情報Ｉadを発生し、この付加情報Ｉadをバス１０７に送出する。この付加情報Ｉadは、映像信号であるか非映像信号であるかを示す信号種別情報と、識別子としてのフィールド番号とからなっている。ここで、入力制御部１０２およびバス１０７は、付加情報Ｉadの伝送手段を構成している。
【００２７】
出力制御部１０５は、バス１０７で伝送されてくる付加情報Ｉadを取得し、この付加情報Ｉadに基づいて、出力処理部１０４の動作を制御する。出力処理部１０４は、付加情報Ｉadに含まれる信号種別情報により、入力信号が映像信号であるときはその入力信号を出力するように制御され、入力信号が非映像信号であるときはその入力信号の代わりにブランキング信号を出力するように制御される。
【００２８】
入力制御部１０２の詳細構成を説明する。図２は、入力制御部１０２の詳細構成を示している。
【００２９】
入力制御部１０２は、映像信号判定部１２１と、フィールド番号発生部１２２と、付加情報書き込み処理部１２３と、ＦＩＦＯ(First-In First-Out)部１２４と、付加情報読み出し処理部１２５とを有している。
【００３０】
映像信号判定部１２１は、ＤＲＣ処理部１０１（図１参照）から供給される、入力映像信号ＳＶinより抽出された同期信号ＳＹＮＣａに基づいて、各フィールド期間で、入力信号が映像信号であるか非映像信号であるかを判定し、その判定結果である信号種別情報を出力する。
【００３１】
この場合、映像信号判定部１２１は、基本的には、同期信号ＳＹＮＣａがあるフィールド期間は入力信号が映像信号であると判定し、その他のフィールド期間は入力信号が非映像信号であると判定する。ただし、ＤＲＣ処理部１０１では入力映像信号ＳＶinの最初のフィールドが入力されてから２フィールド期間は非映像信号が出力される処理を行う場合があるが、その場合には映像信号判定部１２１はその２フィールド期間の信号種別を非映像信号に置き換えて信号種別情報を出力する。
【００３２】
フィールド番号発生部１２２は、ＤＲＣ処理部１０１（図１参照）から供給される同期信号ＳＹＮＣａに基づいて、フィールド期間毎に順次インクリメントされたフィールド番号を発生する。
【００３３】
付加情報書き込み処理部１２３は、映像信号判定部１２１で発生された信号種別情報とフィールド番号発生部１２２で発生されたフィールド番号とを付加情報とし、フィールド期間毎に、その付加情報をＦＩＦＯ部１２４に書き込む。付加情報読み出し処理部１２５は、ＤＲＣ処理部１０１（図１参照）から供給される、その出力映像信号に同期した同期信号ＳＹＮＣｂに基づいて、ＦＩＦＯ部１２４から付加情報Ｉadを読み出し、バス１０７に送出する。
【００３４】
ここで、ＦＩＦＯ部１２４の大きさはＤＲＣ処理部１０１の処理時間に依存している。すなわち、ＤＲＣ処理部１０１の出力映像信号の各フィールド期間において、それに対応した付加情報Ｉadが付加情報読み出し処理部１２５からバス１０７に送出されるように、ＦＩＦＯ部１２４の大きさが設定されている。
【００３５】
この入力制御部１０２の動作を説明する。
【００３６】
映像信号判定部１２１に、ＤＲＣ処理部１０１から、入力映像信号ＳＶinより分離された同期信号ＳＹＮＣａが供給される。映像信号判定部１２１では、この同期信号ＳＹＮＣａに基づいて、各フィールド期間で、ＤＲＣ処理部１０１の入力信号が映像信号であるか非映像信号であるかが判定され、信号種別情報が発生される。また、フィールド番号発生部１２２に、ＤＲＣ処理部１０１から、同期信号ＳＹＮＣａが供給される。このフィールド番号発生部１２２では、同期信号ＳＹＮＣａに基づいて、フィールド期間毎に順次インクリメントされたフィールド番号が発生される。
【００３７】
映像信号判定部１２１で発生された信号種別情報およびフィールド番号発生部１２２で発生されるフィールド番号は、付加情報書き込み処理部１２３に供給される。この付加情報書き込み処理部１２３では、信号種別情報およびフィールド番号が付加情報とされ、この付加情報がＦＩＦＯ部１２４に書き込まれる。
【００３８】
また、付加情報読み出し処理部１２５に、ＤＲＣ処理部１０１から、出力映像信号に同期した同期信号ＳＹＮＣｂが供給される。この付加情報読み出し処理部１２５では、この同期信号ＳＹＮＣｂに基づいて、ＦＩＦＯ部１２４から付加情報Ｉadが読み出され、この付加情報Ｉadがバス１０７に送出される。この場合、ＤＲＣ処理部１０１の出力映像信号の各フィールド期間において、それに対応した付加情報Ｉadがバス１０７に送出される。
【００３９】
出力制御部１０５の詳細構成を説明する。図３は、出力制御部１０５の詳細構成を示している。
【００４０】
出力制御部１０５は、付加情報取得部１５１と、付加情報書き込み処理部１５２と、ＦＩＦＯ部１５３と、付加情報読み出し処理部１５４とを有している。
【００４１】
付加情報取得部１５１は、出力処理部１０４（図１参照）から供給される、この出力処理部１０４の入力映像信号から抽出された同期信号ＳＹＮＣｃに基づいて、上述の入力制御部１０２からバス１０７を通じて送られてくる付加情報Ｉadを取得する。付加情報書き込み処理部１５２は、付加情報取得部１５１で取得された付加情報ＩadをＦＩＦＯ部１５３に書き込む。
【００４２】
付加情報読み出し処理部１５４は、出力処理部１０４（図１参照）から供給される、その出力映像信号に同期した同期信号ＳＹＮＣｄに基づいて、ＦＩＦＯ部１５３から付加情報Ｉadを読み出し、その付加情報Ｉadに含まれる信号種別情報に基づいて制御信号ＳＣＯを発生し、この制御信号ＳＣＯで出力処理部１０４を制御する。
【００４３】
この場合、ＦＩＦＯ部１５３の大きさは、ノイズ低減処理部１０３および出力処理部１０４の処理時間に依存している。すなわち、出力処理部１０４の出力映像信号の各フィールド期間において、それに対応した付加情報ＩadがＦＩＦＯ部１５３から読み出されるように、ＦＩＦＯ部１５３の大きさが設定されている。
【００４４】
制御信号ＳＣＯにより、出力処理部１０４の出力処理は、以下のように制御される。すなわち、出力処理部１０４から出力しようとする信号が映像信号であるときは、その信号を出力するように制御され、出力処理部１０４から出力しようとする信号が非映像信号であるときは、その信号の代わりにブランキング信号を出力するように制御される。
【００４５】
この出力制御部１０５の動作を説明する。
【００４６】
付加情報取得部１５１に、出力処理部１０４から、入力映像信号より分離された同期信号ＳＹＮＣｃが供給される。付加情報取得部１５１では、この同期信号ＳＹＮＣｃに基づいて、各フィールド期間で、バス１０７から、付加情報Ｉadが取得される。この付加情報Ｉadは、付加情報書き込み処理部１５２により、ＦＩＦＯ部１５３に書き込まれる。
【００４７】
また、付加情報読み出し処理部１５４に、出力処理部１０４から、出力映像信号に同期した同期信号ＳＹＮＣｄが供給される。付加情報読み出し処理部１５４では、この同期信号ＳＹＮＣｄに基づいて、ＦＩＦＯ部１５３から付加情報Ｉadが読み出される。この付加情報Ｉadは、出力処理部１０４の出力映像信号の各フィールド期間に対応したものとなっている。
【００４８】
この付加情報読み出し処理部１５４では、各フィールド期間で、ＦＩＦＯ部１５３から読み出した付加情報Ｉadに含まれる信号種別情報に基づいて制御信号ＳＣＯが発生され、この制御信号ＳＣＯは出力処理部１０４に供給される。この場合、出力処理部１０４は、出力しようとする信号が映像信号であるときは、その信号を出力するように制御され、出力しようとする信号が非映像信号であるときは、その信号の代わりにブランキング信号を出力するように制御される。
【００４９】
図１に示す情報信号処理装置１００の動作を説明する。
【００５０】
入力映像信号ＳＶinはＤＲＣ処理部１０１に供給される。このＤＲＣ処理部１０１では、入力映像信号ＳＶinに対してＤＲＣ処理（高画質化処理）が行われる。このＤＲＣ処理部１０１で高画質化処理が施された後の出力映像信号はノイズ低減処理部１０３に供給される。ノイズ低減処理部１０３では、ＤＲＣ処理部１０１の出力映像信号に対してノイズを低減する処理が行われる。
【００５１】
ＤＲＣ処理部１０１で入力映像信号ＳＶinから分離された同期信号ＳＹＮＣａは入力制御部１０２に供給される。また、このＤＲＣ処理部１０１から入力制御部１０２に、出力映像信号に同期した同期信号ＳＹＮＣｂが供給される。入力制御部１０２では、ＤＲＣ処理部１０１から出力される映像信号のフィールド毎に、メタ情報としての付加情報Ｉadが発生され、この付加情報Ｉadはバス１０７に送出される。
【００５２】
ノイズ低減処理部１０３でノイズ低減処理が施された後の映像信号は出力処理部１０４に供給される。出力処理部１０４で入力映像信号から分離された同期信号ＳＹＮＣｃは出力制御部１０５に供給される。また、この出力処理部１０４から出力制御部１０５に、出力映像信号に同期した同期信号ＳＹＮＣｄが供給される。
【００５３】
出力制御部１０５では、バス１０７で伝送されてくる付加情報Ｉadが取得され、この付加情報Ｉadに基づいて、出力処理部１０４の動作が制御される。すなわち、出力処理部１０４は、付加情報Ｉadに含まれる信号種別情報により、入力信号が映像信号であるときはその入力信号を出力するように制御され、入力信号が非映像信号であるときはその入力信号の代わりにブランキング信号を出力するように制御される。
【００５４】
出力処理部１０４から出力される映像信号ＳＶoutはディスプレイ１０６に供給される。そして、このディスプレイ１０６に、映像信号ＳＶoutによる画像が表示される。
【００５５】
このように図１に示す情報信号処理装置１００によれば、ＤＲＣ処理部１０１（入力制御部１０２）側からバス１０７を通じて、出力処理部１０４（出力制御部１０５）側に送られてくる付加情報Ｉadに基づき、この出力処理部１０４は、出力しようとする信号が映像信号であるときはその信号を出力し、出力しようとする信号が非映像信号であるときはその信号に代わってブランキング信号を出力するように制御されるものであり、非映像信号に対して的確にブランキングできる。
【００５６】
次に、この発明の第２の実施の形態について説明する。図４は、第２の実施の形態としての情報信号処理装置２００の構成を示している。
【００５７】
この情報信号処理装置２００は、拡張ＤＲＣ処理部２０１と、ノイズ低減処理部２０２と、出力制御処理部２０３と、ディスプレイ２０４と、バス２０５とを有している。
【００５８】
拡張ＤＲＣ処理部２０１は、第１の処理部を構成し、入力映像信号ＳＶinに対してＤＲＣ処理（高画質化処理）を行い、フィールド期間毎に、メタ情報としての識別子、ここではフィールド番号が付加された処理後の映像信号を出力する。ここで、映像信号の信号経路はフィールド番号の伝送手段を構成している。高画質化処理では、例えば、入力映像信号ＳＶinであるＳＤ信号をＨＤ信号に変換する。この高画質化処理は、図１に示す情報信号処理装置１００のＤＲＣ処理部１０１における高画質化処理と同じである。
【００５９】
また、拡張ＤＲＣ処理部２０１は、この拡張ＤＲＣ処理部２０１から出力される映像信号のフィールド毎に、メタ情報としての付加情報Ｉadを発生し、この付加情報Ｉadをバス２０５に送出する。この付加情報は、映像信号であるか非映像信号であるかを示す信号種別情報と、識別子としてのフィールド番号とからなっている。ここで、拡張ＤＲＣ処理部２０１およびバス２０５は、付加情報Ｉadの伝送手段を構成している。
【００６０】
ノイズ低減処理部２０２は、拡張ＤＲＣ処理部２０１の出力映像信号に対してノイズを低減する処理を行う。
【００６１】
出力制御処理部２０３は、第２の処理部を構成し、ノイズ低減処理部２０２から出力される映像信号に対して出力処理を行う。また、この出力制御処理部２０３は、入力映像信号にフィールド期間毎に付加されているフィールド番号を分離すると共に、バス２０５で伝送されてくる付加情報Ｉadを取得し、これらフィールド番号および付加情報Ｉadに基づいて、出力処理動作をする。この場合、入力信号が映像信号であるときはその入力信号を出力し、入力信号が非映像信号であるときはその入力信号の代わりにブランキング信号を出力する。
【００６２】
ディスプレイ２０４は、例えば、ＬＣＤ(Liquid Crystal Display)等の表示素子で構成され、出力制御処理部２０３から出力される映像信号ＳＶoutによる画像を表示する。
【００６３】
拡張ＤＲＣ処理部２０１の詳細構成を説明する。図５は、拡張ＤＲＣ処理部２０１の詳細構成を示している。
【００６４】
拡張ＤＲＣ処理部２０１は、判定部２１１と、スイッチ（ＳＷ）２１２と、フィールド番号分離部２１３と、高画質化処理部２１４と、合成部２１５と、フィールド番号発生部２１６と、書き込み処理部２１７と、ＦＩＦＯ部２１８と、フィールド番号読み出し処理部２１９と、入力同期信号抽出部２２０と、出力同期信号生成部２２１とを有している。
【００６５】
判定部２１１は、番号付加情報Ｉnoに基づいて、入力画像信号ＳＶinにフィールド番号が既に付加されているか否かを判定する。この番号付加情報Ｉnoは、入力画像信号ＳＶinにフィールド期間毎にフィールド番号が既に付加されているか否かを示す情報である。図６は、映像信号にフィールド番号（ＩＤ）が付加された状態を示しており、フィールド番号はブランキング期間に挿入される。
【００６６】
スイッチ２１２は、判定部２１１の判定結果に基づいて、入力映像信号ＳＶinを、高画質化処理部２１４に供給するか、フィールド番号分離部２１３に供給するかを、切り換える。すなわち、スイッチ２１２は、フィールド番号が付加されているとき、入力映像信号ＳＶinをフィールド番号分離部２１３に供給し、フィールド番号が付加されていないとき、高画質化処理部２１４に供給する。
【００６７】
フィールド番号分離部２１３は、フィールド番号が付加されている入力映像信号ＳＶinから、フィールド期間毎にフィールド番号を分離すると共に、フィールド番号が分離された後の映像信号を高画質化処理部２１４に供給する。高画質化処理部２１４は、入力映像信号に対してＤＲＣ処理（高画質化処理）を行う。
【００６８】
入力同期信号抽出部２２０は、入力映像信号ＳＶinから、同期信号を抽出する。フィールド番号発生部２１６は、判定部２１１の判定結果に基づき、入力同期信号抽出部２２０で抽出された同期信号に同期して、フィールド期間毎に順次インクリメントされたフィールド番号を発生する。この場合、フィールド番号発生部２１６は、入力映像信号ＳＶinにフィールド番号が付加されていないとき、フィールド番号を発生する。
【００６９】
書き込み処理部２１７は、フィールド番号分離部２１３で分離されたフィールド番号、あるいはフィールド番号発生部２１６で発生されたフィールド番号を、フィールド期間毎に、ＦＩＦＯ部２１８に書き込む。フィールド番号読み出し処理部２１９は、出力同期信号生成部２２１で生成される同期信号に基づいて、ＦＩＦＯ部２１８からフィールド番号を読み出し、合成部２１５に供給する。合成部２１５は、高画質化処理部２１４で高画質化処理が施された後の映像信号のブランキング期間にフィールド番号を挿入し、出力同期信号生成部２２１で生成された同期信号に同期して、フィールド番号が付加された処理後の映像信号ＳＶａを出力する。
【００７０】
ここで、ＦＩＦＯ部２１８の大きさは高画質化処理部２１４の処理時間に依存している。すなわち、高画質化処理部２１４の出力映像信号の各フィールド期間において、それに対応したフィールド番号がフィールド番号読み出し処理部２１９から合成部２１５に供給されるように、ＦＩＦＯ部２１８の大きさが設定されている。
【００７１】
また、拡張ＤＲＣ処理部２０１は、映像信号判定部２２２と、フィールド番号受信部２２３と、付加情報書き込み処理部２２４と、ＦＩＦＯ部２２５と、付加情報読み出し処理部２２６とを有している。
【００７２】
映像信号判定部２２２は、入力同期信号抽出部２２０で抽出された同期信号に基づいて、各フィールド期間で、入力信号が映像信号であるか非映像信号であるかを判定し、その判定結果である信号種別情報を出力する。
【００７３】
この場合、映像信号判定部２２２は、基本的には、同期信号があるフィールド期間は入力信号が映像信号であると判定し、その他のフィールド期間は入力信号が非映像信号であると判定する。ただし、高画質化処理部２１４では入力映像信号ＳＶinの最初のフィールドが入力されてから２フィールド期間は非映像信号が出力される処理を行う場合があるが、その場合には映像信号判定部２２２はその２フィールド期間の信号種別を非映像信号に置き換えて信号種別情報を出力する。
【００７４】
フィールド番号受信部２２３は、書き込み処理部２１７でＦＩＦＯ部２１８に書き込まれる、フィールド番号分離部２１３で分離されたフィールド番号、あるいはフィールド番号発生部２１６で発生されたフィールド番号を受信する。
【００７５】
付加情報書き込み処理部２２４は、映像信号判定部２２２で発生された信号種別情報とフィールド番号受信部２２３で受信されたフィールド番号とを付加情報とし、フィールド期間毎に、その付加情報をＦＩＦＯ部２２５に書き込む。図７は、フィールド番号（ＩＤ）と信号種別情報とが関連付けられた付加情報Ｉadを示している。付加情報読み出し処理部２２６は、出力同期信号生成部２２１で生成された同期信号に基づいて、ＦＩＦＯ部２２５から付加情報Ｉadを読み出し、バス２０５に送出する。
【００７６】
この拡張ＤＲＣ処理部２０１の動作を説明する。
【００７７】
入力映像信号ＳＶinはスイッチ２１２に供給されると共に、入力同期信号抽出部２２０に供給される。この入力映像信号ＳＶinにフィールド番号が付加されていないときは、入力映像信号ＳＶinはスイッチ２１２を通じて高画質化処理部２１４に供給され、また入力同期信号抽出部２２０で抽出された同期信号に同期して、フィールド番号発生部２１６でフィールド期間毎に順次インクリメントされたフィールド番号が発生される。
【００７８】
一方、入力映像信号ＳＶinにフィールド番号が付加されているときは、入力映像信号ＳＶinはスイッチ２１２を通じてフィールド番号分離部２１３に供給される。このフィールド番号分離部２１３では、入力映像信号ＳＶinからフィールド番号が分離され、フィールド番号が分離された映像信号は高画質化処理部２１４に供給される。高画質化処理部２１４では、入力映像信号に対してＤＲＣ処理（高画質化処理）が施され、処理後の映像信号は合成部２１５に供給される。
【００７９】
また、フィールド番号分離部２１３で分離されたフィールド番号、あるいはフィールド番号発生部２１６で発生されたフィールド番号は、書き込み処理部２１７で、ＦＩＦＯ部２１８に書き込まれる。フィールド番号読み出し処理部２１９に出力同期信号生成部２２１から同期信号が供給される。このフィールド番号読み出し処理部２１９では、同期信号に基づいて、ＦＩＦＯ部２１８からフィールド番号が読み出され、合成部２１５に供給される。この場合、高画質化処理部２１４の出力映像信号の各フィールド期間において、それに対応したフィールド番号がフィールド番号読み出し処理部２１９から合成部２１５に供給される。
【００８０】
合成部２１５では、高画質化処理部２１４で高画質化処理が施された後の映像信号のブランキング期間にフィールド番号が挿入され、出力同期信号生成部２２１で生成された同期信号に同期して、フィールド番号が付加された処理後の映像信号ＳＶａが出力される。
【００８１】
入力同期信号抽出部２２０では入力映像信号ＳＶinから同期信号が抽出され、この同期信号は映像信号判定部２２２に供給される。映像信号判定部２２２では、この同期信号に基づいて、各フィールド期間で、拡張ＤＲＣ処理部２０１の入力信号が映像信号であるか非映像信号であるかが判定され、信号種別情報が発生される。また、書き込み処理部２１７でＦＩＦＯ部２１８に書き込まれる、フィールド番号分離部２１３で分離されたフィールド番号、あるいはフィールド番号発生部２１６で発生されたフィールド番号はフィールド番号受信部２２３で受信される。
【００８２】
映像信号判定部２２２で発生された信号種別情報およびフィールド番号受信部２２３で受信されたフィールド番号は、付加情報書き込み処理部２２４に供給される。この付加情報書き込み処理部２２４では、信号種別情報およびフィールド番号が付加情報とされ、この付加情報がＦＩＦＯ部２２５に書き込まれる。
【００８３】
また、付加情報読み出し処理部２２６に、出力同期信号生成部２２１で生成された同期信号が供給される。この付加情報読み出し処理部２２６では、この同期信号に基づいて、ＦＩＦＯ部２２５から付加情報Ｉadが読み出され、この付加情報Ｉadがバス２０５に送出される。この場合、拡張ＤＲＣ処理部２０１の出力映像信号の各フィールドに対応した付加情報Ｉadがバス２０５に送出される。
【００８４】
出力制御処理部２０３の詳細構成を説明する。図８は、出力制御処理部２０３の詳細構成を示している。
【００８５】
出力制御処理部２０３は、フィールド番号分離部２３１と、出力処理部２３２と、フィールド番号取得部２３３と、書き込み処理部２３４と、ＦＩＦＯ部２３５と、フィールド番号読み出し処理部２３６と、入力同期信号抽出部２３７と、出力同期信号生成部２３８と、付加情報取得部２３９と、付加情報書き込み処理部２４０と、ＦＩＦＯ部２４１と、付加情報読み出し処理部２４２と、フィールド番号比較処理部２４３と、出力制御部２４４とを有している。
【００８６】
フィールド番号分離部２３１は、フィールド番号が付加されている入力映像信号ＳＶｂから、フィールド期間毎にフィールド番号（ＩＤ）を分離すると共に、フィールド番号が分離された後の映像信号を出力処理部２３２に供給する。
【００８７】
入力同期信号抽出部２３７は、入力映像信号ＳＶｂから、同期信号を抽出する。フィールド番号取得部２３３は、フィールド番号分離部２３１で分離されたフィールド番号を、入力同期信号抽出部２３７で抽出された同期信号のタイミングで取得する。
【００８８】
書き込み処理部２３４は、フィールド番号取得部２３３で取得されたフィールド番号を、フィールド期間毎に、ＦＩＦＯ部２３５に書き込む。フィールド番号読み出し処理部２３６は、出力同期信号生成部２３８で生成される同期信号に基づいて、ＦＩＦＯ部２３５からフィールド番号を読み出す。ここで、ＦＩＦＯ部２３５の大きさは、出力処理部２３２の処理時間に依存している。すなわち、出力処理部２３２の出力映像信号の各フィールド期間において、それに対応したフィールド番号がＦＩＦＯ部２３５から読み出されるように、ＦＩＦＯ部２３５の大きさが設定されている。
【００８９】
付加情報取得部２３９は、入力同期信号抽出部２３７で抽出された同期信号に基づいて、上述の拡張ＤＲＣ処理部２０１からバス２０５を通じて送られてくる付加情報Ｉadを取得する。付加情報書き込み処理部２４０は、付加情報取得部２３９で取得された付加情報ＩadをＦＩＦＯ部２４１に書き込む。
【００９０】
付加情報読み出し処理部２４２は、出力同期信号生成部２３８で生成された同期信号に基づいて、ＦＩＦＯ部２４１の各段から複数のフィールド期間分の付加情報Ｉadを読み出す。ここで、ＦＩＦＯ部２４１の各段から読み出される複数のフィールド期間分の付加情報Ｉadに、上述したＦＩＦＯ部２３５からフィールド番号読み出し処理部２３６により読み出されるフィールド番号を含む付加情報Ｉadが存在するように、ＦＩＦＯ部２４１の段数が設定されている。
【００９１】
フィールド番号比較処理部２４３は、付加情報読み出し処理部２４２で読み出された複数のフィールド期間分の付加情報Ｉadのそれぞれに含まれるフィールド番号と、フィールド番号読み出し処理部２３６で読み出されたフィールド番号とを比較し、一致するフィールド番号を持つ付加情報Ｉadを構成する信号種別情報を取得し、この信号種別情報を出力制御部２４４に送る。
【００９２】
出力制御部２４４は、出力同期信号生成部２３８で生成された同期信号に同期して、フィールド番号比較処理部２４３から送られてくる信号種別情報に基づいて、出力処理部２３２の出力処理を制御する制御信号ＳＣＯを発生する。この場合、この制御信号ＳＣＯは、出力処理部２３２から出力しようとする信号が映像信号であるときは、その信号を出力するように制御し、出力処理部２３２から出力しようとする信号が非映像信号であるときは、その信号の代わりにブランキング信号を出力するように制御する。
【００９３】
この出力制御処理部２０３の動作を説明する。
【００９４】
入力映像信号ＳＶｂはフィールド番号分離部２３１に供給されると共に、入力同期信号抽出部２３７に供給される。フィールド番号分離部２３１では、入力映像信号ＳＶｂからフィールド番号が分離され、フィールド番号が分離された映像信号は出力処理部２３２に供給される。
【００９５】
フィールド番号分離部２３１で分離されたフィールド番号はフィールド番号取得部２３３に供給され、このフィールド番号取得部２３３では入力同期信号抽出部２３７で抽出された同期信号に基づいて、フィールド番号が取得される。フィールド番号取得部２３３で取得されたフィールド番号は、書き込み処理部２３４でＦＩＦＯ部２３５に書き込まれる。そして、このＦＩＦＯ部２３５から、フィールド番号読み出し処理部２３６により、出力同期信号生成部２３８で生成された同期信号に基づいて、フィールド期間毎に、フィールド番号が読み出される。
【００９６】
付加情報取得部２３９では、入力同期信号抽出部２３７で抽出された同期信号に基づいて、各フィールド期間で、バス２０５から、付加情報Ｉadが取得される。この付加情報Ｉadは、付加情報書き込み処理部２４０により、ＦＩＦＯ部２４１に書き込まれる。そして、このＦＩＦＯ部２４１の各段から、付加情報読み出し処理部２４２により、出力同期信号生成部２３８で生成された同期信号に基づいて、フィールド期間毎に、複数のフィールド期間分の付加情報Ｉadが読み出される。
【００９７】
フィールド番号読み出し処理部２３６で読み出されたフィールド番号および付加情報読み出し処理部２４２で読み出された複数のフィールド期間分の付加情報Ｉadは、それぞれ、フィールド番号比較処理部２４３に供給される。このフィールド番号比較処理部２４３では、複数のフィールド期間分の付加情報Ｉadのそれぞれに含まれるフィールド番号と、フィールド番号読み出し処理部２３６で読み出されたフィールド番号とが比較され、一致するフィールド番号を持つ付加情報Ｉadを構成する信号種別情報が取得され、この信号種別情報は出力制御部２４４に送られる。
【００９８】
出力制御部２４４では、出力同期信号生成部２３８で生成された同期信号に同期して、フィールド番号比較処理部２４３から送られてくる信号種別情報に基づいて、制御信号ＳＣＯが発生され、この制御信号ＳＣＯは出力処理部２３２に供給される。この場合、出力処理部２３２は、出力しようとする信号が映像信号であるときは、その信号を出力するように制御され、出力しようとする信号が非映像信号であるときは、その信号の代わりにブランキング信号を出力するように制御される。
【００９９】
図４に示す情報信号処理装置２００の動作を説明する。
【０１００】
入力映像信号ＳＶinは拡張ＤＲＣ処理部２０１に供給される。拡張ＤＲＣ処理部２０１では入力映像信号ＳＶinに対してＤＲＣ処理（高画質化処理）が行われ、この拡張ＤＲＣ処理部２０１からは、フィールド期間毎に、フィールド番号が付加された処理後の映像信号ＳＶａが出力される。この処理後の映像信号ＳＶａはノイズ低減処理部２０２でノイズを低減する処理が行われた後に、出力制御処理部２０３に供給される。
【０１０１】
また、拡張ＤＲＣ処理部２０１から、この拡張ＤＲＣ処理部２０１から出力される映像信号のフィールド毎に、フィールド番号（ＩＤ）および信号種別情報からなる付加情報Ｉadが発生され、この付加情報Ｉadはバス２０５に送出される。
【０１０２】
出力制御処理部２０３では、ノイズ低減処理部２０２から出力される映像信号ＳＶｂに対して出力処理が行われる。この場合、映像信号ＳＶｂにフィールド期間毎に付加されているフィールド番号が分離されると共に、バス２０５で伝送されてくる付加情報Ｉadが取得され、これらフィールド番号および付加情報Ｉadに基づいて、出力処理が制御される。
【０１０３】
この場合、各フィールド期間における出力は、そのフィールド期間と同じフィールド番号を含む付加情報Ｉadの信号種別情報に基づいて制御され、入力信号が映像信号であるときはその入力信号が出力され、入力信号が非映像信号であるときはその入力信号の代わりにブランキング信号が出力される。
【０１０４】
出力制御処理部２０３から出力される映像信号ＳＶoutはディスプレイ２０４に供給される。そして、このディスプレイ２０４に、映像信号ＳＶoutによる画像が表示される。
【０１０５】
このように図４に示す情報信号処理装置２００によれば、拡張ＤＲＣ処理部２０１側から出力制御処理部２０３側に、映像信号のブランキング期間に挿入されて送られてくるフィールド番号（ＩＤ）、およびバス２０５を通じて送られてくる付加情報Ｉadに基づき、出力制御処理部２０３は、出力しようとする信号が映像信号であるときはその信号を出力し、出力しようとする信号が非映像信号であるときはその信号に代わってブランキング信号を出力するように制御されるものであり、非映像信号に対して的確にブランキングできる。
【０１０６】
次に、この発明の第３の実施の形態について説明する。図９は、第３の実施の形態としての情報信号処理装置３００の構成を示している。
【０１０７】
この情報信号処理装置３００は、ＤＲＣ処理部３０１と、入力制御部３０２と、音声入力制御部３０３と、ノイズ低減処理部３０４と、出力処理部３０５と、出力制御部３０６と、音声出力制御部３０７と、ディスプレイ３０８と、スピーカ３０９と、バス３１０とを有している。
【０１０８】
ＤＲＣ処理部３０１は、映像処理部を構成し、入力映像信号ＳＶinに対してＤＲＣ処理（高画質化処理）を行う。このＤＲＣ処理は、図１に示す情報信号処理装置１００のＤＲＣ処理部１０１におけるＤＲＣ処理と同じである。ノイズ低減処理部３０４は、ＤＲＣ処理部３０１の出力映像信号に対してノイズを低減する処理を行う。出力処理部３０５は、ノイズ低減処理部３０４から出力される映像信号に対して出力処理を行う。ディスプレイ３０８は、例えば、ＬＣＤ(Liquid Crystal Display)等の表示素子で構成され、出力処理部３０５の出力映像信号ＳＶoutによる画像を表示する。スピーカ３０９は、音声出力制御部３０７の出力音声信号ＳＡoutによる音声を出力する。
【０１０９】
入力制御部３０２は、ＤＲＣ処理部３０１から出力される映像信号のフィールド期間毎に、メタ情報としての識別子、ここではフィールド番号ＩＤｖを発生し、このフィールド番号ＩＤｖをバス３１０を構成する第１のラインに送出する。音声入力制御部３０３は、入力音声信号ＳＡinのフィールド期間毎に、メタ情報としての識別子、ここではフィールド番号ＩＤａを発生し、このフィールド番号ＩＤａをバス３１０を構成する第２のラインに送出する。この場合、入力音声信号ＳＡinの、入力映像信号ＳＶinの各フィールド期間に対応して、この入力映像信号ＳＶinの各フィールド期間で発生されたフィールド番号ＩＤｖと同じフィールド番号ＩＤａが発生される。
【０１１０】
出力制御部３０６は、バス３１０の第１のラインで送られてくるフィールド番号ＩＤｖを取得する。出力処理部３０５は、このフィールド番号ＩＤｖに対応したフィールド期間の映像信号を順次出力する。音声出力制御部３０７は、バス３１０の第２のラインで送られてくるフィールド番号ＩＤａを取得し、このフィールド番号ＩＤａおよび上述のフィールド番号ＩＤｖに基づいて、出力処理部３０５から出力される映像信号ＳＶoutの各フィールド期間に対応した音声信号ＳＡoutを出力する。
【０１１１】
入力制御部３０２および音声入力制御部３０３の詳細構成を説明する。図１０は、入力制御部３０２および音声入力制御部３０３の詳細構成を示している。
【０１１２】
入力制御部３０２は、フィールド番号発生部３２１と、書き込み処理部３２２と、ＦＩＦＯ部３２３と、フィールド番号読み出し処理部３２４とを有している。
【０１１３】
フィールド番号発生部３２１は、ＤＲＣ処理部３０１（図９参照）から供給される、入力映像信号ＳＶinから抽出された同期信号ＳＹＮＣａに基づいて、フィールド期間毎に順次インクリメントされたフィールド番号を発生する。書き込み処理部３２２は、フィールド番号発生部３２１で発生されたフィールド番号を、フィールド期間毎に、ＦＩＦＯ部３２３に書き込む。フィールド番号読み出し処理部３２４は、ＤＲＣ処理部３０１から供給される同期信号ＳＹＮＣｂに基づいて、ＦＩＦＯ部３２３からフィールド番号ＩＤｖを読み出し、バス３１０の第１のラインに送出する。
【０１１４】
ここで、ＦＩＦＯ部３２３の大きさはＤＲＣ処理部３０１の処理時間に依存している。すなわち、ＤＲＣ処理部３０１の出力映像信号の各フィールド期間において、それに対応したフィールド番号ＩＤｖがフィールド番号読み出し処理部３２４からバス３１０に送出されるように、ＦＩＦＯ部３２３の大きさが設定されている。
【０１１５】
また、音声入力制御部３０３は、フィールド番号受信部３３１と、書き込み処理部３３２と、ＦＩＦＯ部３３３と、フィールド番号読み出し処理部３３４とを有している。
【０１１６】
フィールド番号受信部３３１は、上述した入力制御部３０２のフィールド番号発生部３２１で発生されたフィールド番号を受信する。書き込み処理部３３２は、フィールド番号受信部３３１で受信されたフィールド番号を、フィールド期間毎に、ＦＩＦＯ部３３３に書き込む。フィールド番号読み出し処理部３３４は、ＤＲＣ処理部３０１から供給される同期信号ＳＹＮＣｂに基づいて、ＦＩＦＯ部３３３からフィールド番号ＩＤａを読み出し、バス３１０の第２のラインに送出する。
【０１１７】
ここで、ＦＩＦＯ部３３３の大きさは、上述したＤＲＣ処理部３０１では音声信号に対しては特になにもしないことから、入力制御部３０２におけるＦＩＦＯ部３２３より小さくされている。この場合、音声出力制御部３０７に入力される音声信号の各フィールド期間において、それに対応したフィールド番号ＩＤａがフィールド番号読み出し処理部３３４からバス３１０の第２のラインに送出されるように、ＦＩＦＯ部３３３の大きさが設定されている。
【０１１８】
この入力制御部３０２および音声入力制御部３０３の動作を説明する。
【０１１９】
フィールド番号発生部３２１では、ＤＲＣ処理部３０１から供給される、入力映像信号ＳＶinより抽出された同期信号ＳＹＮＣａに基づいて、フィールド期間毎に順次インクリメントされたフィールド番号が発生される。このフィールド番号は、書き込み処理部３２２により、ＦＩＦＯ部３２３に書き込まれる。そして、このＦＩＦＯ部３２３から、フィールド番号読み出し処理部３２４により、ＤＲＣ処理部３０１から供給される、出力映像信号に同期した同期信号ＳＹＮＣｂに基づいて、第１の識別子としてのフィールド番号ＩＤｖが読み出され、このフィールド番号ＩＤｖはバス３１０の第１のラインに送出される。この場合、ＤＲＣ処理部３０１の出力映像信号の各フィールド期間において、それに対応したフィールド番号ＩＤｖがバス３１０の第１のラインに送出される。
【０１２０】
また、フィールド番号受信部３３１では、入力制御部３０２のフィールド番号発生部３２１で発生されるフィールド番号が受信される。このフィールド番号は、書き込み処理部３３２により、ＦＩＦＯ部３３３に書き込まれる。そして、このＦＩＦＯ部３３３から、フィールド番号読み出し処理部３３４により、ＤＲＣ処理部３０１からの同期信号ＳＹＮＣｂに基づいて、第２の識別子としてのフィールド番号ＩＤａが読み出され、このフィールド番号ＩＤａはバス３１０の第２のラインに送出される。この場合、音声出力制御部３０７の入力音声信号の各フィールド期間において、それに対応したフィールド番号ＩＤａがバス３１０の第２のラインに送出される。
【０１２１】
出力制御部３０６および音声出力制御部３０７の詳細構成を説明する。図１１は、出力制御部３０６および音声出力制御部３０７の詳細構成を示している。
【０１２２】
出力制御部３０６は、フィールド番号取得部３６１と、書き込み処理部３６２と、ＦＩＦＯ部３６３と、映像用番号読み出し処理部３６４とを有している。
【０１２３】
フィールド番号取得部３６１は、出力処理部３０５（図９参照）から供給される、この出力処理部３０５の入力映像信号から抽出された同期信号ＳＹＮＣｃに基づいて、上述の入力制御部３０２からバス３１０の第１のラインを通じて送られてくるフィールド番号ＩＤｖを取得する。書き込み処理部３６２は、フィールド番号取得部３６１で取得されたフィールド番号ＩＤｖをＦＩＦＯ部３６３に書き込む。
【０１２４】
映像用番号読み出し処理部３６４は、出力処理部３０５（図９参照）から供給される、その出力映像信号に同期した同期信号ＳＹＮＣｄに基づいて、ＦＩＦＯ部３６３からフィールド番号ＩＤｖを読み出す。この場合、ＦＩＦＯ部３６３の大きさは、ノイズ低減処理部３０４および出力処理部３０５の処理時間に依存している。すなわち、出力処理部３０５の出力映像信号の各フィールド期間において、それに対応したフィールド番号ＩＤｖがＦＩＦＯ部３６３から読み出されるように、ＦＩＦＯ部３６３の大きさが設定されている。
【０１２５】
音声出力制御部３０７は、フィールド番号受信部３７１と、書き込み処理部３７２と、ＦＩＦＯ部３７３と、音声用番号読み出し処理部３７４と、バッファ３７５とを有している。
【０１２６】
フィールド番号受信部３７１は、出力処理部３０５（図９参照）から供給される、この出力処理部３０５の入力映像信号から抽出された同期信号ＳＹＮＣｃに基づいて、上述の音声入力制御部３０３からバス３１０の第２のラインを通じて送られてくるフィールド番号ＩＤａを取得する。書き込み処理部３７２は、フィールド番号受信部３７１で取得されたフィールド番号ＩＤａをＦＩＦＯ部３７３に書き込む。
【０１２７】
音声用番号読み出し処理部３７４は、出力処理部３０５（図９参照）から供給される、出力映像信号に同期した同期信号ＳＹＮＣｄに基づいて、ＦＩＦＯ部３７３の各段から複数のフィールド期間分のフィールド番号ＩＤａを読み出す。ここで、ＦＩＦＯ部３７３の各段から読み出される複数のフィールド期間分のフィールド番号ＩＤａに、上述したＦＩＦＯ部３６３から映像用番号読み出し処理部３６４により読み出されるフィールド番号が存在するように、ＦＩＦＯ部３７３の段数が設定されている。
【０１２８】
また、音声用番号読み出し処理部３７４は、複数のフィールド期間分のフィールド番号ＩＤａに、映像用番号読み出し処理部３６４でＦＩＦＯ部３６３から読み出されたフィールド番号と一致するフィールド番号があることを確認し、バッファ３７５からそのフィールド番号に対応したフィールド期間の音声信号を出力するように制御する。因みに、バッファ３７５には、ＦＩＦＯ部３７３の各段に保持されているフィールド番号ＩＤａにそれぞれ対応したフィールド期間の音声信号が保持されるようになっている。
【０１２９】
この出力制御部３０６および音声出力制御部３０７の動作を説明する。
【０１３０】
フィールド番号取得部３６１に、出力処理部３０５から、入力映像信号より抽出された同期信号ＳＹＮＣｃが供給される。フィールド番号取得部３６１では、この同期信号ＳＹＮＣｃに基づいて、各フィールド期間で、バス３１０の第１のラインから、フィールド番号ＩＤｖが取得される。このフィールド番号ＩＤｖは、書き込み処理部３６２により、ＦＩＦＯ部３６３に書き込まれる。
【０１３１】
映像用番号読み出し処理部３６４に、出力処理部３０５から、出力映像信号に同期した同期信号ＳＹＮＣｄが供給される。この映像用番号読み出し処理部３６４では、この同期信号ＳＹＮＣｄに基づいて、ＦＩＦＯ部３６３からフィールド番号ＩＤｖが読み出される。このフィールド番号ＩＤｖは、出力処理部３０５の出力映像信号ＳＶoutの各フィールド期間に対応したものとなっている。
フィールド番号受信部３７１に、出力処理部３０５から、入力映像信号より抽出された同期信号ＳＹＮＣｃが供給される。フィールド番号受信部３７１では、この同期信号ＳＹＮＣｃに基づいて、各フィールド期間で、バス３１０の第２のラインから、フィールド番号ＩＤａが取得される。このフィールド番号ＩＤａは、書き込み処理部３７２により、ＦＩＦＯ部３７３に書き込まれる。
【０１３２】
音声用番号読み出し処理部３７４により、出力処理部３０５からの同期信号ＳＹＮＣｄに基づいて、ＦＩＦＯ部３７３の各段から複数のフィールド期間分のフィールド番号ＩＤａが読み出される。そして、この音声用番号読み出し処理部３７４により、複数のフィールド期間分のフィールド番号ＩＤａに、映像用番号読み出し処理部３６４でＦＩＦＯ部３６３から読み出されたフィールド番号と一致するフィールド番号があることが確認され、バッファ３７５からそのフィールド番号に対応したフィールド期間の音声信号が出力されるように制御される。
【０１３３】
図９に示す情報信号処理装置３００の動作を説明する。
【０１３４】
入力映像信号ＳＶinはＤＲＣ処理部３０１に供給される。このＤＲＣ処理部３０１では、入力映像信号ＳＶinに対してＤＲＣ処理（高画質化処理）が行われる。このＤＲＣ処理部３０１で高画質化処理が施された後の出力映像信号はノイズ低減処理部３０４に供給される。ノイズ低減処理部３０４では、ＤＲＣ処理部３０１の出力映像信号に対してノイズを低減する処理が行われる。
【０１３５】
ＤＲＣ処理部３０１で入力映像信号ＳＶinから分離された同期信号ＳＹＮＣａは入力制御部３０２に供給される。また、このＤＲＣ処理部３０１から入力制御部３０２に、出力映像信号に同期した同期信号ＳＹＮＣｂが供給される。入力制御部３０２では、ＤＲＣ処理部３０１から出力される映像信号のフィールド毎に、メタ情報としてのフィールド番号ＩＤｖが発生され、このフィールド番号ＩＤｖはバス３１０の第１のラインに送出される。
【０１３６】
ＤＲＣ処理部３０１からの同期信号ＳＹＮＣａ，ＳＹＮＣｂは音声入力制御部３０３にも供給される。この音声入力制御部３０３では、音声出力制御部３０７に入力される音声信号の各フィールド期間において、それに対応したフィールド番号ＩＤａが発生され、このフィールド番号ＩＤａはバス３１０の第２のラインに送出される。
【０１３７】
ノイズ低減処理部３０４でノイズ低減処理が施された後の映像信号は出力処理部３０５に供給され、この出力処理部３０５から出力映像信号ＳＶoutが出力される。出力制御部３０６には、出力処理部３０５から、入力映像信号より抽出された同期信号ＳＹＮＣｃ、および出力映像信号に同期した同期信号ＳＹＮＣｄが供給される。
【０１３８】
出力制御部３０６では、フィールド期間毎に、バス３１０の第１のラインで伝送されてくるフィールド番号ＩＤｖが取得される。このようにフィールド期間毎に取得されるフィールド番号ＩＤｖは、出力処理部３０５から順次出力される映像信号ＳＶoutの各フィールド期間に対応したものとなっている。
【０１３９】
出力処理部３０５からの同期信号ＳＹＮＣｃ，ＳＹＮＣｄは音声出力制御部３０７にも供給される。この音声出力制御部３０７には、入力映像信号ＳＶinに対応した入力音声信号ＳＡin（ＳＡａ）が供給される。この音声出力制御部３０７では、フィールド期間毎に、バス３１０の第２のラインで送られてくるフィールド番号ＩＤａが取得される。この音声出力制御部３０７からは、このフィールド番号ＩＤａおよび上述のフィールド番号ＩＤｖに基づいて、出力処理部３０５から出力される映像信号ＳＶoutの各所定期間に対応した音声信号ＳＡoutが出力される。
【０１４０】
出力処理部３０５から出力される映像信号ＳＶoutはディスプレイ３０８に供給され、このディスプレイ３０８に映像信号ＳＶoutによる画像が表示される。また、音声出力制御部３０７から出力される音声信号ＳＡoutはスピーカ３０９に供給され、このスピーカ３０９から音声信号ＳＡoutによる音声が出力される。
【０１４１】
このように図９に示す情報信号処理装置３００によれば、ＤＲＣ処理部３０１（入力制御部３０２、音声入力制御部３０３）側からバス３１０を通じて、出力処理部３０５（出力制御部３０６、音声出力制御部３０７）側に送られてくるフィールド番号ＩＤｖ，ＩＤａに基づき、音声出力制御部３０７から、出力処理部３０５から出力される映像信号ＳＶoutの各所定期間に対応した音声信号ＳＡoutが出力されるものであり、映像信号ＳＶoutと音声信号ＳＡoutとは同期がとられたものとなり、リップシンクが正しく調整されたものとなる。
【０１４２】
次に、この発明の第４の実施の形態について説明する。図１２は、第４の実施の形態としての情報信号処理装置４００の構成を示している。
【０１４３】
この情報信号処理装置４００は、拡張ＤＲＣ処理部４０１と、ノイズ低減処理部４０２と、出力制御処理部４０３と、ディスプレイ４０４とを有している。
【０１４４】
拡張ＤＲＣ処理部４０１は、映像処理部を構成し、入力映像信号ＳＶinに対してＤＲＣ処理（高画質化処理）を行い、フィールド期間毎に、メタ情報としての識別子、ここではフィールド番号（ＩＤ）が付加された処理後の映像信号を出力する。例えば、フィールド番号（ＩＤ）は、図６に示すように、ブランキング期間に挿入される。ここで、映像信号の信号経路はフィールド番号の伝送手段を構成している。
【０１４５】
高画質化処理では、例えば、入力映像信号ＳＶinであるＳＤ信号をＨＤ信号に変換する。この高画質化処理は、図１に示す情報信号処理装置１００のＤＲＣ処理部１０１における高画質化処理と同じである。ノイズ低減処理部４０２は、拡張ＤＲＣ処理部４０１の出力映像信号に対してノイズを低減する処理を行う。
【０１４６】
出力制御処理部４０３は、映像出力処理部を構成し、ノイズ低減処理部４０２から出力される映像信号に対して出力処理を行う。この場合、入力される映像信号からフィールド期間毎に付加されているフィールド番号を分離し、この分離したフィールド番号に対応したフィールド期間の映像信号を順次出力する。
【０１４７】
ディスプレイ４０４は、例えば、ＬＣＤ(Liquid Crystal Display)等の表示素子で構成され、出力制御処理部４０３から出力される映像信号ＳＶoutによる画像を表示する。
【０１４８】
また、情報信号処理装置４００は、音声用制御部４０５と、音声出力制御部４０６と、スピーカ４０７とを有している。
【０１４９】
音声用制御部４０５は、音声処理部を構成し、上述した入力映像信号ＳＶinに対応した入力音声信号ＳＡinの、映像信号ＳＶinの各フィールド期間に対応して、この映像信号ＳＶinの各フィールド期間に付加されたと同じ識別子、ここではフィールド番号を付加した音声信号を出力する。例えば、図１３Ａに示すように、３２ｋｂｐｓの間欠的な音声データが、図１３Ｂに示すように、フィールド期間毎に高密度化されて１２８ｋｂｐｓの音声データとされ、空き時間領域を利用して、フィールド番号（ＩＤ）が挿入される。ここで、音声信号の信号経路はフィールド番号の伝送手段を構成している。
【０１５０】
音声出力制御部４０６は、音声出力処理部を構成し、音声用制御部４０５から出力される音声信号に対して出力処理を行う。この場合、入力される音声信号からフィールド期間毎に付加されているフィールド番号を分離し、このフィールド番号および上述した出力制御処理部４０３で映像信号から分離されたフィールド番号に基づいて、出力制御処理部４０３から出力される映像信号ＳＶoutの各フィールド期間に対応した音声信号ＳＡoutを出力する。
【０１５１】
スピーカ４０７は、音声出力制御部４０６から出力される音声信号ＳＡoutによる音声を出力する。
【０１５２】
拡張ＤＲＣ処理部４０１および音声用制御部４０５の詳細構成を説明する。図１４は、拡張ＤＲＣ処理部４０１および音声用制御部４０５の詳細構成を示している。
【０１５３】
拡張ＤＲＣ処理部４０１は、判定部４１１と、スイッチ（ＳＷ）４１２と、フィールド番号分離部４１３と、高画質化処理部４１４と、合成部４１５と、フィールド番号発生部４１６と、書き込み処理部４１７と、ＦＩＦＯ部４１８と、フィールド番号読み出し処理部４１９と、入力同期信号抽出部４２０と、出力同期信号生成部４２１とを有している。
【０１５４】
判定部４１１は、番号付加情報Ｉnoに基づいて、入力映像信号ＳＶinおよび入力音声信号ＳＡinにフィールド番号が既に付加されているか否かを判定する。番号付加情報Ｉnoは、入力画像信号ＳＶinおよび入力音声信号ＳＡinにフィールド期間毎にフィールド番号が既に付加されているか否かを示す情報である。
【０１５５】
スイッチ４１２は、判定部４１１の判定結果に基づいて、入力映像信号ＳＶinを、高画質化処理部４１４に供給するか、フィールド番号分離部４１３に供給するかを、切り換える。すなわち、スイッチ４１２は、フィールド番号が付加されているとき、入力映像信号ＳＶinをフィールド番号分離部４１３に供給し、フィールド番号が付加されていないとき、高画質化処理部４１４に供給する。
【０１５６】
フィールド番号分離部４１３は、フィールド番号が付加されている入力映像信号ＳＶinから、フィールド期間毎にフィールド番号を分離すると共に、フィールド番号が分離された後の映像信号を高画質化処理部４１４に供給する。高画質化処理部４１４は、入力映像信号に対してＤＲＣ処理（高画質化処理）を行う。
【０１５７】
入力同期信号抽出部４２０は、入力映像信号ＳＶinから、同期信号を抽出する。フィールド番号発生部４１６は、判定部４１１の判定結果に基づき、入力同期信号抽出部４２０で抽出された同期信号に同期して、フィールド期間毎に順次インクリメントされたフィールド番号を発生する。この場合、フィールド番号発生部４１６は、入力映像信号ＳＶinにフィールド番号が付加されていないとき、フィールド番号を発生する。
【０１５８】
書き込み処理部４１７は、フィールド番号分離部４１３で分離されたフィールド番号、あるいはフィールド番号発生部４１６で発生されたフィールド番号を、フィールド期間毎に、ＦＩＦＯ部４１８に書き込む。フィールド番号読み出し処理部４１９は、出力同期信号生成部４２１で生成される同期信号に基づいて、ＦＩＦＯ部４１８からフィールド番号を読み出し、合成部４１５に供給する。
【０１５９】
合成部４１５は、高画質化処理部４１４で高画質化処理が施された後の映像信号のブランキング期間にフィールド番号を挿入し、出力同期信号生成部４２１で生成された同期信号に同期して、フィールド番号が付加された処理後の映像信号ＳＶａを出力する。
【０１６０】
ここで、ＦＩＦＯ部４１８の大きさは高画質化処理部４１４の処理時間に依存している。すなわち、高画質化処理部４１４の出力映像信号の各フィールド期間において、それに対応したフィールド番号がフィールド番号読み出し処理部４１９から合成部４１５に供給されるように、ＦＩＦＯ部４１８の大きさが設定されている。
【０１６１】
音声用制御部４０５は、スイッチ４２２と、フィールド番号分離部４２３と、高密度化処理部４２４と、合成部４２５と、フィールド番号受信部４２６と、書き込み処理部４２７と、ＦＩＦＯ部４２８と、フィールド番号読み出し処理部４２９とを有している。
【０１６２】
スイッチ４２２は、拡張ＤＲＣ処理部４０１の判定部４１１の判定結果に基づいて、入力音声信号ＳＡinを、高密度化処理部４２４に供給するか、フィールド番号分離部４２３に供給するかを、切り換える。すなわち、スイッチ４２２は、フィールド番号が付加されているとき、入力音声信号ＳＡinをフィールド番号分離部４２３に供給し、フィールド番号が付加されていないとき、高密度化処理部４２４に供給する。
【０１６３】
フィールド番号分離部４２３は、フィールド番号が付加されている入力音声信号ＳＡinから、フィールド期間毎にフィールド番号を分離すると共に、フィールド番号が分離された後の音声信号を高密度化処理部４２４に供給する。高密度化処理部４２４は、フィールド期間毎に、フィールド番号を挿入するために、音声データの高密度化処理を行う（図１３Ｂ参照）。
【０１６４】
フィールド番号受信部４２６は、拡張ＤＲＣ処理部４０１のフィールド番号発生部４１６で発生されたフィールド番号を受信する。書き込み処理部４２７は、フィールド番号分離部４２３で分離されたフィールド番号、あるいはフィールド番号受信部４２６で受信されたフィールド番号を、フィールド期間毎に、ＦＩＦＯ部４２８に書き込む。フィールド番号読み出し処理部４２９は、拡張ＤＲＣ処理部４０１の出力同期信号生成部４２１で生成された同期信号に基づいて、ＦＩＦＯ部４２８からフィールド番号を読み出し、合成部４２５に供給する。合成部４２５は、高密度化処理され、フィールド期間毎に空き時間領域が形成されている音声信号の、当該空き時間領域にフィールド番号を挿入し、フィールド番号が付加された音声信号ＳＡａを出力する。
【０１６５】
ここで、ＦＩＦＯ部４２８の大きさは高密度化処理部４２４の処理時間に依存している。すなわち、高密度化処理部４２４の出力映像信号の各フィールド期間において、それに対応したフィールド番号がフィールド番号読み出し処理部４２９から合成部４２５に供給されるように、ＦＩＦＯ部４２８の大きさが設定されている。
【０１６６】
この拡張ＤＲＣ処理部４０１および音声用制御部４０５の動作を説明する。
【０１６７】
入力映像信号ＳＶinはスイッチ４１２に供給されると共に、入力同期信号抽出部４２０に供給される。この入力映像信号ＳＶinにフィールド番号が付加されていないときは、入力映像信号ＳＶinはスイッチ４１２を通じて高画質化処理部４１４に供給され、また入力同期信号抽出部４２０で抽出された同期信号に同期して、フィールド番号発生部４１６でフィールド期間毎に順次インクリメントされたフィールド番号が発生される。
【０１６８】
一方、入力映像信号ＳＶinにフィールド番号が付加されているときは、入力映像信号ＳＶinはスイッチ４１２を通じてフィールド番号分離部４１３に供給される。このフィールド番号分離部４１３では、入力映像信号ＳＶinからフィールド番号が分離され、フィールド番号が分離された映像信号は高画質化処理部４１４に供給される。高画質化処理部４１４では、入力される映像信号に対してＤＲＣ処理（高画質化処理）が施され、処理後の映像信号は合成部４１５に供給される。
【０１６９】
また、フィールド番号分離部４１３で分離されたフィールド番号、あるいはフィールド番号発生部４１６で発生されたフィールド番号は、書き込み処理部４１７で、ＦＩＦＯ部４１８に書き込まれる。フィールド番号読み出し処理部４１９に出力同期信号生成部４２１から同期信号が供給される。このフィールド番号読み出し処理部４１９では、同期信号に基づいて、ＦＩＦＯ部４１８からフィールド番号が読み出され、合成部４１５に供給される。この場合、高画質化処理部４１４の出力映像信号の各フィールド期間において、それに対応したフィールド番号がフィールド番号読み出し処理部４１９から合成部４１５に供給される。
【０１７０】
合成部４１５では、高画質化処理部４１４で高画質化処理が施された後の映像信号のブランキング期間にフィールド番号が挿入され、出力同期信号生成部４２１で生成された同期信号に同期して、フィールド番号が付加された処理後の映像信号ＳＶａが出力される。
【０１７１】
入力音声信号ＳＡinはスイッチ４２２に供給される。このスイッチ４２２には、拡張ＤＲＣ処理部４０１の判定部４１１の判定結果が供給される。この入力音声信号ＳＡinにフィールド番号が付加されていないときは、入力音声信号ＳＡinはスイッチ４２２を通じて高密度化処理部４２４に供給され、またフィールド番号受信部４２６で、拡張ＤＲＣ処理部４０１のフィールド番号発生部４１６で発生されたフィールド番号が受信される。
【０１７２】
一方、入力音声信号ＳＡinにフィールド番号が付加されているときは、入力音声信号ＳＡinはスイッチ４２２を通じてフィールド番号分離部４２３に供給される。このフィールド番号分離部４２３では、入力音声信号ＳＡinからフィールド番号が分離され、フィールド番号が分離された音声信号は高密度化処理部４２４に供給される。
【０１７３】
高密度化処理部４２４では、入力される音声信号に対して、高密度化処理が施される。ただし、入力音声信号ＳＡinにフィールド番号が付加されていた場合には、この高密度化処理部４２４に入力される音声信号は高密度化処理された状態にある。高密度化処理された後の音声信号は合成部４２５に供給される。
【０１７４】
また、フィールド番号受信部４２６で受信されたフィールド番号は、書き込み処理部４２７で、ＦＩＦＯ部４２８に書き込まれる。フィールド番号読み出し処理部４２９には、拡張ＤＲＣ処理部４０１の出力同期信号生成部４２１から同期信号が供給される。このフィールド番号読み出し処理部４２９では、同期信号に基づいて、ＦＩＦＯ部４２８からフィールド番号が読み出され、合成部４２５に供給される。この場合、高密度化処理部４２４の出力音声信号の各フィールド期間において、それに対応したフィールド番号がフィールド番号読み出し処理部４２９から合成部４２５に供給される。
【０１７５】
合成部４２５では、高密度化処理部４２４で高密度化処理が施された後の音声信号の各フィールド期間の空き時間領域にフィールド番号が挿入され、拡張ＤＲＣ処理部４０１の出力同期信号生成部４２１で生成された同期信号に同期して、フィールド番号が付加された音声信号ＳＡａが出力される。
【０１７６】
出力制御処理部４０３および音声出力制御部４０６の詳細構成を説明する。図１５は、出力制御処理部４０３および音声出力制御部４０６の詳細構成を示している。
【０１７７】
出力制御処理部４０３は、フィールド番号分離部４３１と、出力処理部４３２と、フィールド番号取得部４３３と、書き込み処理部４３４と、ＦＩＦＯ部４３５と、フィールド番号読み出し処理部４３６と、入力同期信号抽出部４３７と、出力同期信号生成部４３８とを有している。
【０１７８】
フィールド番号分離部４３１は、フィールド番号が付加されている入力映像信号ＳＶｂから、フィールド期間毎にフィールド番号（ＩＤ）を分離すると共に、フィールド番号が分離された後の映像信号を出力処理部４３２に供給する。出力処理部４３２は、フィールド番号分離部４３１から供給される映像信号に基づき、ディスプレイ４０４に供給すべき出力映像信号ＳＶoutを出力する。
【０１７９】
入力同期信号抽出部４３７は、入力映像信号ＳＶｂから、同期信号を抽出する。フィールド番号取得部４３３は、フィールド番号分離部４３１で分離されたフィールド番号を、入力同期信号抽出部４３７で抽出された同期信号のタイミングで取得する。
【０１８０】
書き込み処理部４３４は、フィールド番号取得部４３３で取得されたフィールド番号を、フィールド期間毎に、ＦＩＦＯ部４３５に書き込む。フィールド番号読み出し処理部４３６は、出力同期信号生成部４３８で生成される同期信号に基づいて、ＦＩＦＯ部４３５からフィールド番号を読み出す。ここで、ＦＩＦＯ部４３５の大きさは、出力処理部４３２の処理時間に依存している。すなわち、出力処理部４３２の出力映像信号の各フィールド期間において、それに対応したフィールド番号がＦＩＦＯ部４３５から読み出されるように、ＦＩＦＯ部４３５の大きさが設定されている。
【０１８１】
音声出力制御部４０６は、フィールド番号分離部４３９と、出力処理部４４０と、フィールド番号取得部４４１と、書き込み処理部４４２と、ＦＩＦＯ部４４３と、フィールド番号読み出し処理部４４４とを有している。
【０１８２】
フィールド番号分離部４３９は、フィールド番号が付加されている入力音声信号ＳＡａから、フィールド期間毎にフィールド番号（ＩＤ）を分離すると共に、フィールド番号が分離された後の音声信号を出力処理部４４０に供給する。出力処理部４４０は、スピーカ４０７に供給すべき出力音声信号ＳＡoutを出力する。
【０１８３】
フィールド番号取得部４４１は、フィールド番号分離部４３９で分離されたフィールド番号を、出力制御処理部４０３の入力同期信号抽出部４３７で抽出された同期信号のタイミングで取得する。
【０１８４】
書き込み処理部４４２は、フィールド番号取得部４４１で取得されたフィールド番号を、フィールド期間毎に、ＦＩＦＯ部４４３に書き込む。フィールド番号読み出し処理部４４４は、出力制御処理部４０３の出力同期信号生成部４３８で生成された同期信号に基づいて、ＦＩＦＯ部４４３の各段から複数のフィールド期間分のフィールド番号を読み出す。ここで、ＦＩＦＯ部４４３の各段から読み出される複数のフィールド期間分のフィールド番号に、上述したＦＩＦＯ部４３５からフィールド番号読み出し処理部４３６により読み出されるフィールド番号が存在するように、ＦＩＦＯ部４４３の段数が設定されている。
【０１８５】
また、フィールド番号読み出し処理部４４４は、複数のフィールド期間分のフィールド番号に、フィールド番号読み出し処理部４３６で読み出されたフィールド番号と一致するフィールド番号があることを確認し、そのフィールド番号に対応したフィールド期間の音声信号を出力するように出力処理部４４０を制御する。因みに、出力処理部４４０はバッファを備え、そのバッファにＦＩＦＯ部４４３の各段に保持されているフィールド番号にそれぞれ対応したフィールド期間の音声信号が保持されるようになっている。
【０１８６】
この出力制御処理部４０３および音声出力制御部４０６の動作を説明する。
【０１８７】
入力映像信号ＳＶｂはフィールド番号分離部４３１に供給されると共に、入力同期信号抽出部４３７に供給される。フィールド番号分離部４３１では、入力映像信号ＳＶｂからフィールド番号が分離され、フィールド番号が分離された映像信号は出力処理部４３２に供給される。そして、この出力処理部４３２から出力映像信号ＳＶoutが出力される。
【０１８８】
フィールド番号分離部４３１で分離されたフィールド番号はフィールド番号取得部４３３に供給され、このフィールド番号取得部４３３では入力同期信号抽出部４３７で抽出された同期信号に基づいて、フィールド番号が取得される。フィールド番号取得部４３３で取得されたフィールド番号は、書き込み処理部４３４でＦＩＦＯ部４３５に書き込まれる。そして、このＦＩＦＯ部４３５から、フィールド番号読み出し処理部４３６により、出力同期信号生成部４３８で生成された同期信号に基づいて、フィールド期間毎に、フィールド番号が読み出される。
【０１８９】
ここで、フィールド番号読み出し処理部４３６でフィールド期間毎に読み出されるフィールド番号は、出力処理部４３２から出力される映像信号に対応したものとなっている。
【０１９０】
また、入力音声信号ＳＡａはフィールド番号分離部４３９に供給される。フィールド番号分離部４３９では、入力音声信号ＳＡａからフィールド番号が分離され、フィールド番号が分離された音声信号は出力処理部４４０に供給される。そして、この出力処理部４４０から出力音声信号ＳＡoutが出力される。
【０１９１】
フィールド番号分離部４３９で分離されたフィールド番号はフィールド番号取得部４４１に供給され、このフィールド番号取得部４４１では入力同期信号抽出部４３７で抽出された同期信号に基づいて、フィールド番号が取得される。フィールド番号取得部４４１で取得されたフィールド番号は、書き込み処理部４４２でＦＩＦＯ部４４３に書き込まれる。そして、このＦＩＦＯ部４４３の各段から、フィールド番号読み出し処理部４４４により、出力同期信号生成部４３８で生成された同期信号に基づいて、フィールド期間毎に、複数のフィールド期間分のフィールド番号が読み出される。
【０１９２】
さらに、フィールド番号読み出し処理部４４４により、複数のフィールド期間分のフィールド番号に、フィールド番号読み出し処理部４３６でＦＩＦＯ部４３５から読み出されたフィールド番号と一致するフィールド番号があることが確認され、出力処理部４４０からそのフィールド番号に対応したフィールド期間の音声信号が出力されるように制御される。
【０１９３】
図１２に示す情報信号処理装置４００の動作を説明する。
【０１９４】
入力映像信号ＳＶinは拡張ＤＲＣ処理部４０１に供給される。拡張ＤＲＣ処理部４０１では入力映像信号ＳＶinに対してＤＲＣ処理（高画質化処理）が行われ、この拡張ＤＲＣ処理部４０１からは、フィールド期間毎に、フィールド番号が付加された処理後の映像信号ＳＶａが得られる。この処理後の映像信号ＳＶａはノイズ低減処理部４０２でノイズを低減する処理が行われた後に、出力制御処理部４０３に供給される。そして、この出力制御処理部４０３からディスプレイ４０４に出力映像信号ＳＶoutが出力され、ディスプレイ４０４にこの出力映像信号ＳＶoutによる画像が表示される。
【０１９５】
入力音声信号ＳＡinは音声用制御部４０５に供給される。この音声用制御部４０５では、入力音声信号ＳＡinの、映像信号ＳＶinの各フィールド期間に対応して、この映像信号ＳＶinの各フィールド期間に付加されたと同じフィールド番号が付加された音声信号ＳＡａが得られる。この音声信号ＳＡａは音声出力制御部４０６に供給される。
【０１９６】
音声出力制御部４０６からは、上述した出力制御処理部４０３で映像信号ＳＶｂから分離されたフィールド番号および音声信号ＳＡａから分離されたフィールド番号に基づいて、出力制御処理部４０３から出力される出力映像信号ＳＶoutの各フィールド期間に対応した出力音声信号ＳＡoutが出力される。この出力音声信号ＳＡoutはスピーカ４０７に供給され、このスピーカ４０７から出力音声信号ＳＡoutによる音声が出力される。
【０１９７】
このように図１２に示す情報信号処理装置４００によれば、映像信号および音声信号にそれぞれ付加されてくるフィールド番号に基づき、音声出力制御部４０６から、出力制御処理部４０３から出力される映像信号ＳＶoutの各所定期間に対応した音声信号ＳＡoutが出力されるものであり、映像信号ＳＶoutと音声信号ＳＡoutとは同期がとられたものとなり、リップシンクが正しく調整されたものとなる。
【０１９８】
次に、この発明の第５の実施の形態について説明する。図１６は、第５の実施の形態としての情報信号処理装置５００の構成を示している。この図１６において、図９および図１２と対応する部分には同一符号を付し、適宜その詳細説明を省略する。
【０１９９】
この情報信号処理装置５００は、拡張ＤＲＣ処理部４０１と、ノイズ低減処理部４０２と、出力制御処理部４０３と、ディスプレイ４０４とを有している。これらは、図１２の情報信号処理装置４００におけるものと同様のものである。また、この情報信号処理装置５００は、音声入力制御部３０３と、音声出力制御部３０７と、スピーカ３０９と、バス３１０とを有している。これらは、図９の情報信号処理装置３００におけるものと同様のものである。
【０２００】
図１７は、拡張ＤＲＣ処理部４０１および音声入力制御部３０３の構成を示している。この図１７において、図１０および図１４と対応する部分には同一符号を付し、適宜その詳細説明を省略する。
【０２０１】
拡張ＤＲＣ処理部４０１は、図１４に示す情報信号処理装置４００における拡張ＤＲＣ処理部４０１と同様に、判定部４１１と、スイッチ（ＳＷ）４１２と、フィールド番号分離部４１３と、高画質化処理部４１４と、合成部４１５と、フィールド番号発生部４１６と、書き込み処理部４１７と、ＦＩＦＯ部４１８と、フィールド番号読み出し処理部４１９と、入力同期信号抽出部４２０と、出力同期信号生成部４２１とを有している。
【０２０２】
また、音声入力制御部３０３は、図１０に示す情報信号処理装置３００における音声入力制御部３０３と同様に、フィールド番号受信部３３１と、書き込み処理部３３２と、ＦＩＦＯ部３３３と、フィールド番号読み出し処理部３３４とを有している。
【０２０３】
なお、図１０では、フィールド番号受信部３３１は、入力制御部３０２のフィールド番号発生部３２１で発生されたフィールド番号を受信するが、ここでは拡張ＤＲＣ処理部４０１のフィールド番号発生部４１６で発生されるフィールド番号を受信する。また、図１０では、フィールド番号読み出し処理部３３４は、ＤＲＣ処理部３０１からの同期信号ＳＹＮＣｂに基づいてフィールド番号の読み出しを行うが、ここでは拡張ＤＲＣ処理部４０１の出力同期信号生成部４２１で生成された同期信号に基づいてフィールド番号の読み出しを行う。
【０２０４】
拡張ＤＲＣ処理部４０１の動作は、図１４で説明したと同様であり、合成部４１５では、高画質化処理部４１４で高画質化処理が施された後の映像信号のブランキング期間にフィールド番号が挿入され、出力同期信号生成部４２１で生成された同期信号に同期して、フィールド番号が付加された処理後の映像信号ＳＶａが出力される。
【０２０５】
また、音声入力制御部３０３の動作は、図１０で説明したと同様であり、フィールド番号受信部３３１で受信されたフィールド番号が書き込み処理部３３２によりＦＩＦＯ部３３３に書き込まれ、このＦＩＦＯ部３３３から、フィールド番号読み出し処理部３３４でフィールド番号ＩＤａが読み出されバス３１０に送出される。
【０２０６】
図１８は、出力制御処理部４０３および音声出力制御部３０７の詳細構成を説明する。この図１８において、図１１および図１５と対応する部分には同一符号を付し、適宜その詳細説明を省略する。
【０２０７】
出力制御処理部４０３は、図１５に示す情報信号処理装置４００における出力制御処理部４０３と同様に、フィールド番号分離部４３１と、出力処理部４３２と、フィールド番号取得部４３３と、書き込み処理部４３４と、ＦＩＦＯ部４３５と、フィールド番号読み出し処理部４３６と、入力同期信号抽出部４３７と、出力同期信号生成部４３８とを有している。
【０２０８】
また、音声出力制御部３０７は、図１１に示す情報信号処理装置３００における音声出力制御部３０７と同様に、フィールド番号受信部３７１と、書き込み処理部３７２と、ＦＩＦＯ部３７３と、音声用番号読み出し処理部３７４と、バッファ３７５とを有している。
【０２０９】
なお、図１１では、フィールド番号受信部３７１は、出力処理部３０５から供給される同期信号ＳＹＮＣｃに基づいてバス３１０からフィールド番号ＩＤａを取得しているが、ここでは出力制御処理部４０３の入力同期信号抽出部４３７で抽出された同期信号に基づいてバス３１０からフィールド番号ＩＤａを取得する。また、図１１では、音声用番号読み出し処理部３７４は、出力処理部３０５から供給される同期信号ＳＹＮＣｄに基づいてＦＩＦＯ部３７３の各段からフィールド番号を読み出すと共に、出力制御部３０６の映像用番号読み出し処理部３６４で読み出されたフィールド番号を用いた処理を行うが、ここでは出力制御処理部４０３の同期信号生成部４３８で生成された同期信号に基づいてＦＩＦＯ部３７３の各段からフィールド番号を読み出すと共に、出力制御処理部４０３のフィールド番号読み出し処理部４３６で読み出されたフィールド番号を用いた処理を行う。
【０２１０】
出力制御処理部４０３の動作は、図１５で説明したと同様であり、出力処理部４３２から出力映像信号ＳＶoutが出力される。また、ＦＩＦＯ部４３５から、フィールド番号読み出し処理部４３６により、出力処理部４３２から出力される映像信号の各フィールド期間に対応したフィールド番号が順次読み出される。
【０２１１】
また、音声入力制御部３０７の動作は、図１１で説明したと同様である。すなわち、フィールド番号取得部３７１では、バス３１０から、各フィールド期間で、フィールド番号ＩＤａが取得される。このフィールド番号ＩＤａは、書き込み処理部３７２により、ＦＩＦＯ部３７３に書き込まれる。そして、音声用番号読み出し処理部３７４によってＦＩＦＯ部３７３の各段から複数のフィールド期間分のフィールド番号ＩＤａが読み出される。そして、この複数のフィールド期間分のフィールド番号ＩＤａに、フィールド番号読み出しだし処理部４３６でＦＩＦＯ部４３５から読み出されたフィールド番号と一致するフィールド番号があることが確認され、バッファ３７５からそのフィールド番号に対応したフィールド期間の音声信号が出力されるように制御される。
【０２１２】
図１６に示す情報信号処理装置５００の動作を説明する。
【０２１３】
入力映像信号ＳＶinは拡張ＤＲＣ処理部４０１に供給される。拡張ＤＲＣ処理部４０１では入力映像信号ＳＶinに対してＤＲＣ処理（高画質化処理）が行われ、この拡張ＤＲＣ処理部４０１からは、フィールド期間毎に、フィールド番号が付加された処理後の映像信号ＳＶａが得られる。この処理後の映像信号ＳＶａはノイズ低減処理部４０２でノイズを低減する処理が行われた後に、出力制御処理部４０３に供給される。そして、この出力制御処理部４０３からディスプレイ４０４に出力映像信号ＳＶoutが出力され、ディスプレイ４０４にこの出力映像信号ＳＶoutによる画像が表示される。
【０２１４】
音声出力制御部３０７には、入力映像信号ＳＶinに対応した入力音声信号ＳＡin（ＳＡａ）が供給される。この音声出力制御部３０７では、フィールド期間毎に、バス３１０で送られてくるフィールド番号ＩＤａが取得される。この音声出力制御部３０７からは、このフィールド番号ＩＤａおよび出力制御処理部４０３で映像信号から分離されたフィールド番号に基づいて、出力制御処理部４０３から出力される映像信号ＳＶoutの各所定期間に対応した音声信号ＳＡoutが出力される。この音声信号ＳＡoutはスピーカ３０９に供給され、このスピーカ３０９から音声信号ＳＡoutによる音声が出力される。
【０２１５】
図１６に示す情報信号処理装置５００によれば、映像信号に付加されてくるフィールド番号、および拡張ＤＲＣ処理部３０１側からバス３１０を通じて送られてくるフィールド番号ＩＤａに基づき、音声出力制御部３０７から、出力制御処理部４０３から出力される映像信号ＳＶoutの各所定期間に対応した音声信号ＳＡoutが出力されるものであり、映像信号ＳＶoutと音声信号ＳＡoutとは同期がとられたものとなり、リップシンクが正しく調整されたものとなる。
【０２１６】
なお、上述実施の形態においては、所定期間がフィールド期間であるものを示したが、これに限定されるものではなく、所定期間を複数フィールド期間としてもよい。また、上述実施の形態においては、所定期間毎に対応したメタ情報が、フィールドを識別する識別子としてのフィールド番号、映像信号であるか非映像信号であるかを識別する信号種別情報であるものを示したが、これに限定されるものではなく、例えば第１の処理部側から第２の処理部側に、メタ情報として、時間情報を伝送し、第２の処理部側でこの時間情報を利用した処理が行われるようにしてもよい。
【産業上の利用可能性】
【０２１７】
この発明は、第１の処理部から出力される情報信号の所定期間毎に対応したメタ情報をこの第１の処理部側の後段側に配された第２の処理部側に伝送し、第２の処理部で良好な処理を行い得るようにしたものであり、映像信号、音声信号等の情報信号に複数の処理を順に行う処理装置に適用できる。
【図面の簡単な説明】
【０２１８】
【図１】第１の実施の形態としての情報信号処理装置の構成を示すブロック図である。
【図２】入力制御部の詳細構成を示すブロック図である。
【図３】出力制御部の詳細構成を示すブロック図である。
【図４】第２の実施の形態としての情報信号処理装置の構成を示すブロック図である。
【図５】拡張ＤＲＣ処理部の詳細構成を示すブロック図である。
【図６】映像信号におけるフィールド番号の付加状態を示す図である。
【図７】付加情報の構成を示す図である。
【図８】出力制御処理部の詳細構成を示すブロック図である。
【図９】第３の実施の形態としての情報信号処理装置の構成を示すブロック図である。
【図１０】入力制御部および音声入力制御部の構成を示すブロック図である。
【図１１】出力制御部および音声出力制御部の構成を示すブロック図である。
【図１２】第４の実施の形態としての情報信号処理装置の構成を示すブロック図である。
【図１３】音声信号におけるフィールド番号の付加状態を示すブロック図である。
【図１４】拡張ＤＲＣ処理部および音声用制御部の詳細構成を示すブロック図である。
【図１５】出力制御処理部および音声出力制御部の詳細構成を示すブロック図である。
【図１６】第５の実施の形態としての情報信号処理装置の構成を示すブロック図である。
【図１７】拡張ＤＲＣ処理部および音声入力制御部の詳細構成を示すブロック図である。
【図１８】出力制御処理部および音声出力制御部の詳細構成を示すブロック図である。
【符号の説明】
【０２１９】
１００，２００，３００，４００，５００・・・情報信号処理装置、１０１，３０１・・・ＤＲＣ処理部、１０２，３０２・・・入力制御部、１０３，２０２，３０４，４０２・・・ノイズ低減処理部、１０４，３０５・・・出力処理部、１０５，３０６・・・出力制御部、１０６，２０４，３０８，４０４・・・ディスプレイ、２０１，４０１・・・拡張ＤＲＣ処理部、２０３，４０３・・・出力制御処理部、３０３・・・音声入力制御部、３０７，４０６・・・音声出力制御部、３０９，４０７・・・スピーカ、４０５・・・音声用制御部
【図１】
0004765475.tif 000002
【図２】
0004765475.tif 000003
【図３】
0004765475.tif 000004
【図４】
0004765475.tif 000005
【図５】
0004765475.tif 000006
【図６】
0004765475.tif 000007
【図７】
0004765475.tif 000008
【図８】
0004765475.tif 000009
【図９】
0004765475.tif 000010
【図１０】
0004765475.tif 000011
【図１１】
0004765475.tif 000012
【図１２】
0004765475.tif 000013
【図１３】
0004765475.tif 000014
【図１４】
0004765475.tif 000015
【図１５】
0004765475.tif 000016
【図１６】
0004765475.tif 000017
【図１７】
0004765475.tif 000018
【図１８】
0004765475.tif 000019